(57)【要約】【課題】透明ディスプレイにおいて、透明な画像表示とユーザの誤認識の抑制とを両立させる。【解決手段】画像を表示する表示パネルであって、非表示状態では透明となる表示パネルと、前記表示パネルの背面に設けられ、光の透過率を調節可能な調節パネルと、前記表示パネルに表示する画像の内容に基づき、前記調節パネルの透過率を、領域ごとに制御する制御手段と、を備える表示装置。ユーザに対して確実にその表示内容を伝える必要がある領域の表示のみ、透過度を落として表示する。透明ディスプレイにおいて、表示部の透明性をユーザが体験できる機会の低下を抑制しつつ、ユーザが確実な認識をすることが求められる情報についてユーザが認識しやすい表示を行うことができる。【選択図】図１
2015158639.tif 000002
【特許請求の範囲】
【請求項１】
画像を表示する表示パネルであって、非表示状態では透明となる表示パネルと、
前記表示パネルの背面に設けられ、光の透過率を調節可能な調節パネルと、
前記表示パネルに表示する画像の内容に基づき、前記調節パネルの透過率を、領域ごとに制御する制御手段と、
を備える表示装置。
【請求項２】
前記制御手段は、前記表示パネルに表示する画像を構成する画像部品ごとに透過率を決定し、当該透過率に基づき、前記画像部品が表示される前記表示パネルの領域に対応する前記調節パネルの領域の透過率を制御する請求項１に記載の表示装置。
【請求項３】
前記制御手段は、前記画像部品により表示される情報に応じて、前記画像部品ごとに透過率を決定する請求項２に記載の表示装置。
【請求項４】
前記制御手段は、前記画像部品が、緊急にユーザに通知することを要する情報を表示する画像、重要性の高い情報を表示する画像、表示装置若しくは表示装置を構成する部品の性能低下をユーザに通知する画像、外部の撮像装置により撮像されることを目的とする画像、又は周囲から秘匿することを要する情報を表示する画像である場合、当該画像部品の透過率を非透過とする請求項３に記載の表示装置。
【請求項５】
前記制御手段は、前記画像部品が、ユーザに通知する情報を含まない画像、他の画像部品との重なりがない画像、又は閾値以上の大きさの画像である場合、当該画像部品を所定の度合いで透過させる請求項３又は４に記載の表示装置。
【請求項６】
前記制御手段は、前記画像部品が、ユーザに操作を促す画像、他の画像部品との重なりがある画像、又はユーザによる操作の頻度が閾値以上である画像である場合、当該画像部品を所定の度合いで透過させる請求項３〜５のいずれか１項に記載の表示装置。
【請求項７】
前記画像部品を生成するとともに、生成した画像部品に画像部品により表示される情報に応じた透過率の制御情報を付加する生成手段を備え、
前記制御手段は、前記画像部品に付加された透過率の制御情報に基づき前記調節パネルの透過率を制御する請求項２〜６のいずれか１項に記載の表示装置。
【請求項８】
前記表示パネルの前面に設けられ、タッチセンサを備えた透明のタッチパネルを備え、
前記制御手段は、前記タッチパネルにおけるタッチ操作された位置に応じて、前記調節パネルの透過率を制御する請求項１〜７のいずれか１項に記載の表示装置。
【請求項９】
前記表示パネルの前面に設けられ、タッチセンサを備えた透明のタッチパネルを更に備え、
前記制御手段は、前記画像部品の表示領域と前記タッチパネルにおけるタッチ操作の位置との位置関係に基づき、前記画像部品ごとに透過率を決定する請求項２〜７のいずれか１項に記載の表示装置。
【請求項１０】
前記制御手段は、前記画像部品の表示領域においてタッチ操作された場合、当該画像部品の透過率を、タッチ操作される前と異なる透過率にする請求項９に記載の表示装置。
【請求項１１】
画像を表示する表示パネルであって、非表示状態では透明となる表示パネルと、
前記表示パネルの背面に設けられ、光の透過率を調節可能な調節パネルと、
を備えた表示装置の制御方法であって、
前記表示パネルに表示する画像の内容に基づき前記調節パネルの透過率を、領域ごとに制御する制御工程を有する表示装置の制御方法。
【請求項１２】
前記制御工程では、前記表示パネルに表示する画像を構成する画像部品ごとに透過率を決定し、当該透過率に基づき、前記画像部品が表示される前記表示パネルの領域に対応する前記調節パネルの領域の透過率を制御する請求項１１に記載の表示装置の制御方法。
【請求項１３】
前記制御工程では、前記画像部品により表示される情報に応じて、前記画像部品ごとに透過率を決定する請求項１２に記載の表示装置の制御方法。
【請求項１４】
前記制御工程では、前記画像部品が、緊急にユーザに通知することを要する情報を表示する画像、重要性の高い情報を表示する画像、表示装置若しくは表示装置を構成する部品の性能低下をユーザに通知する画像、外部の撮像装置により撮像されることを目的とする画像、又は周囲から秘匿することを要する情報を表示する画像である場合、当該画像部品の透過率を非透過とする請求項１３に記載の表示装置の制御方法。
【請求項１５】
前記制御工程では、前記画像部品が、ユーザに通知する情報を含まない画像、他の画像部品との重なりがない画像、又は閾値以上の大きさの画像である場合、当該画像部品を所定の度合いで透過させる請求項１３又は１４に記載の表示装置の制御方法。
【請求項１６】
前記制御工程では、前記画像部品が、ユーザに操作を促す画像、他の画像部品との重なりがある画像、又はユーザによる操作の頻度が閾値以上である画像である場合、当該画像部品を所定の度合いで透過させる請求項１３〜１５のいずれか１項に記載の表示装置の制御方法。
【請求項１７】
前記画像部品を生成するとともに、生成した画像部品に画像部品により表示される情報に応じた透過率の制御情報を付加する生成工程を有し、
前記制御工程では、前記画像部品に付加された透過率の制御情報に基づき前記調節パネルの透過率を制御する請求項１２〜１６のいずれか１項に記載の表示装置の制御方法。
【請求項１８】
前記表示パネルの前面に設けられ、タッチセンサを備えた透明のタッチパネルを備え、
前記制御工程では、前記タッチパネルにおけるタッチ操作された位置に応じて、前記調節パネルの透過率を制御する請求項１１〜１７のいずれか１項に記載の表示装置の制御方法。
【請求項１９】
前記表示装置は、前記表示パネルの前面に設けられ、タッチセンサを備えた透明のタッチパネルを更に備え、
前記制御工程では、前記画像部品の表示領域と前記タッチパネルにおけるタッチ操作の位置との位置関係に基づき、前記画像部品ごとに透過率を決定する請求項１２〜１７のいずれか１項に記載の表示装置の制御方法。
【請求項２０】
前記制御工程では、前記画像部品の表示領域においてタッチ操作された場合、当該画像部品の透過率を、タッチ操作される前と異なる透過率にする請求項１９に記載の表示装置の制御方法。
【発明の詳細な説明】
【技術分野】
【０００１】
本発明は、表示装置及びその制御方法に関する。
【背景技術】
【０００２】
表示部が有機ELなどで構成され、非表示時に透明となる表示部材と、表示部材の背面に配され液晶シャッターなどで構成される透過度制御部材とで構成されるディスプレイ（以降、透明ディスプレイと称す）がある。透明ディスプレイを用いた機器、例えばノートパソコンや、携帯電話、インフォメーションボードが、公開、展示されている。今後、このような透明ディスプレイを用いた機器は、デザイン性の良さから、様々な機器への搭載が予想される。しかし、透明ディスプレイであるが故に、周囲の状況、特に透明ディスプレイ越しに見える向こう側の状況（明るさや、背景の模様）により、表示内容を認識しにくい場合がある。
【０００３】
このような問題に対して、外光の強度により遮光したり、発光している画素に対応した部分を遮光したりすることにより、ユーザに対し見やすい表示を提供する技術が提案されている（例えば特許文献１）。
【先行技術文献】
【特許文献】
【０００４】
【特許文献１】特開２００８−８３５１０号公報
【発明の概要】
【発明が解決しようとする課題】
【０００５】
ノートパソコンや携帯電話などは、屋外での使用が多く、必然的に外光の影響を受けやすい。また、これらの機器は表示部の大きさが比較的小さい。そのため、上述した従来の技術をノートパソコンや携帯電話などに適用し、外光強度や画素の発光状態に応じた透過、遮光の透過度制御を行うと、表示部の多くの領域が遮光されることになる。これによりユーザが表示を誤認識することは抑制されるものの、透明ディスプレイが持つ本来の特徴である透明な画像表示をユーザが体験する機会が少なくなり、非透明のディスプレイとの差異が少なくなってしまう。
【０００６】
そこで本発明では、透明ディスプレイにおいて、透明な画像表示とユーザの誤認識の抑制とを両立させる技術を提供することを目的とする。
【課題を解決するための手段】
【０００７】
本発明は、画像を表示する表示パネルであって、非表示状態では透明となる表示パネルと、
前記表示パネルの背面に設けられ、光の透過率を調節可能な調節パネルと、
前記表示パネルに表示する画像の内容に基づき、前記調節パネルの透過率を、領域ごとに制御する制御手段と、
を備える表示装置である。
【０００８】
本発明は、画像を表示する表示パネルであって、非表示状態では透明となる表示パネルと、
前記表示パネルの背面に設けられ、光の透過率を調節可能な調節パネルと、
を備えた表示装置の制御方法であって、
前記表示パネルに表示する画像の内容に基づき前記調節パネルの透過率を、領域ごとに
制御する制御工程を有する表示装置の制御方法である。
【発明の効果】
【０００９】
本発明によれば、透明ディスプレイにおいて、透明な画像表示とユーザの誤認識の抑制とを両立させることができる。
【図面の簡単な説明】
【００１０】
【図１】実施例１に係る表示機器の概略構成を示すブロック図
【図２】本発明を適用できる表示機器の一例を示す図
【図３】実施例１に係る透明表示パネルの表示例と画像部品を示す図
【図４】実施例１に係る表示機器の動作フロー図
【図５】実施例２に係る表示機器の概略構成を示すブロック図
【図６】実施例２に係る表示機器の動作フロー図
【図７】実施例２に係る透明表示パネルの表示例を示す図
【発明を実施するための形態】
【００１１】
以下、図面を用いて本発明の実施例について説明する。
まず図１〜図３を用いて、本実施例の表示機器の概略構成を説明する。
表示部１０は、透過度制御パネル部１００と、透明表示パネル部１０１を有して構成され、透過度制御パネル部１００の前面に透明表示パネル部１０１が配されている。
【００１２】
透過度制御パネル部１００は、電気的に透過度（透過率）を調節可能な調節パネルであり、本実施例では液晶シャッターを用いた液晶パネルである。液晶パネルの種類としては、電気的に透過度を透過から非透過の間で制御可能な方式であればどのような液晶パネルであってもよい。例えば、Twisted Nematic型（ＴＮ型）、Super Twisted Nematic型（ＳＴＮ型）に分類されるNormally Whiteモード（ＮＷモード）やNormally Blackモード（ＮＢモード）がある。また、In-Plane Switching型（ＩＰＳ型）などもある。また、電気的に透過度を制御できるパネルであれば液晶パネルに限らず、例えば液晶素子の代わりにＭＥＭＳ（Micro Electro Mechanical System）シャッターを用いたＭＥＭＳシャッター方
式のパネルでも良い。
【００１３】
透明表示パネル部１０１は、有機ＥＬ（Electro Luminescence）パネルなどに代表される自発光パネルであり、かつ非表示状態で透明となる。なお、発光方式はこれに限定する物ではなく、非表示時に透明になるパネルであれば有機ＥＬパネルでなくとも良い。
【００１４】
図２（Ａ）、図２（Ｂ）に本実施例における表示部１０を搭載した表示機器の一例を示す。図２（Ａ）に示した例は、小型のノートパソコンに表示部１０を搭載した例である。図２（Ｂ）に示した例は、スマートフォン等の小型携帯機器に表示部１０を搭載した例である。本実施例では、透明表示パネル部と透過度制御パネル部との２つのパネルでの構成として説明を行うが、図２（Ｂ）の様に透明表示パネルの前面にタッチ操作による入力が可能なタッチパネルを備えた構成としても良い。
【００１５】
制御部２０は、透過度制御部２０１、透過度決定部２０２、画像制御部２０３、表示制御部２０４を有して構成される。
【００１６】
透明表示パネル部１０１で表示される表示画像は、複数の画像部品で構成される。ここで、画像部品とは、表示画像を構成する、背景、アイコン、ウィンドウなどの表示画像の要素である。
図３（Ａ）に、透明表示パネル部１０１における表示内容の一例を示す。
図３（Ｂ）に、図３（Ａ）の表示内容に対応する表示画像を構成する個々の画像部品を
示す。
図３（Ｃ）に、個々の画像部品に設定された透過度を示す。日時情報が表示された画像部品５１を透過度Ａ、バッテリー残量が表示された画像部品５２を透過度Ｂ、複数のアイコン１〜６を透過度Ｃとする。このように、画像部品ごとに異なる透過度で表示されている。透過度の設定については、後述する。
【００１７】
画像部品は、透明表示パネル部１０１で表示される画像情報だけでなく、その表示を透明表示パネル部１０１のどの位置に表示するかを示す表示位置情報を併せ持っている。例えば、新たなウィンドウ部品が、特定の決まった場所又は何らかの法則に沿って決定される場所に表示されるよう制御される場合、ウィンドウ部品に対応する画像情報と表示位置情報は関連付けて扱われる。なお、表示位置が特に決められておらず、ランダムな位置に表示される画像部品があっても良い。その場合、表示位置情報と画像情報とが関連付けて取り扱われなくても良い。
【００１８】
表示画像は、ユーザ操作などによる外部からの要因や、機器からユーザに対し発せられる自発的な要因により変化する。画像制御部２０３は、このような表示画像の変化、例えば画像部品の追加表示、表示消去、表示変形が実現されるよう、逐次、画像部品の情報（画像情報、表示位置情報）を更新すると共に、個々の画像部品に対して透過度制御の必要有無を判断する。透過度制御の必要有無の判断方法については後述する。
【００１９】
表示制御部２０４は、透明表示パネル部１０１で表示される表示画像を構成する画像部品を、画像制御部２０３より受け取り、個々の画像部品を配置して１枚の表示画像として構成し、透明表示パネル部１０１に出力する。表示制御部２０４は、また、例えば透明表示パネル部１０１の表示特性に特化した画質補正や、画像にＧＵＩ（Graphical User Interface）を重畳する場合の合成など、透明表示パネル部１０１で表示する画像を生成する機能を有する。
【００２０】
透過度決定部２０２は、画像制御部２０３から受け取った個々の画像部品に関する画像情報、表示位置情報、透過度制御の必要有無情報を用いて、個々の画像部品に対して透過度制御情報（透過度）を決定する。画像部品に対する具体的な透過度の決定方法は後述する。
【００２１】
透過度制御部２０１は、画像部品が有する表示位置情報に基づき透過度制御領域を特定し、透過度決定部２０２で決定された個々の画像部品に対する透過度制御情報を用いて、透過度制御パネル部１００の透過度を制御する。
【００２２】
（実施例１）
図１、図４を用いて本発明の実施例１に係る表示機器の基本的な動作を説明する。
図４は、本発明の実施例１に係る表示機器の基本的な動作フローを示した図である。
Ｓ１００では、表示部１０を搭載した表示機器に電源が投入され、表示機器が動作可能な状態となると、本フローチャートの処理が開始される。
ユーザ操作などにより表示部１０を用いた画像表示を行う指示がなされると、Ｓ１０１の判定において肯定判定され、Ｓ１０２に進む。
【００２３】
Ｓ１０２では、画像制御部２０３は、ユーザ操作や表示機器の要求に応じて逐次、透明表示パネル部１０１に表示する表示画像を構成する個々の画像部品に関する情報（画像情報、表示位置情報）を更新する。また画像制御部２０３は、画像部品ごとに、透過度の制御を必要とする画像部品であるか、透過度の制御が不要な（透過させない）画像部品であるか、を示すフラグを付加（設定）する。
画像部品に応じた透過度制御フラグの設定例を説明する。ここで、個々の画像部品は、
透明表示パネル部１０１に表示する画像を構成する画像部品であり、具体的には背景画像、アイコン、ウィンドウなどがある。
【００２４】
画像部品の一例を下記に記す。画像部品には、主に、ユーザ操作に起因する表示、表示機器がユーザに向けて操作等を求めてする表示、表示機器がユーザに対して通知を行う表示のためのものがある。
ユーザ操作に起因する表示の例としては、以下のようなものがある。
・外部機器（カメラ、スキャナー）に表示機器の情報を読み取らせるための表示（バーコード、ＱＲコード（登録商標）、カラーコードなど）
・表示機器に保存した情報の表示（電話番号、住所録、パスワードなど）
【００２５】
ユーザに向けての表示としては、以下のようなものがある。
・表示機器の操作、判断を求める表示（キーボード画面、Yes/No選択表示、アイコンなど）、
・文字列の表示（静止画で表示される文字列や、スクロール表示などの文字列で構成される動画表示など）
【００２６】
ユーザに通知を行う表示としては、以下のようなものがある。
・ユーザにとって緊急度、重要性の高い情報の表示（地震等の緊急警報、バッテリー残量警告、表示装置を構成する部品の性能低下の警告など）
【００２７】
これら画像部品は、ユーザが機器に対する操作により指示した結果として生成され、表示される画像であり、又は、表示機器が特定の目的のためにユーザに対して通知、提示するために生成され、表示される画像である。従って、表示機器において、表示する画像部品の表示の目的、内容、情報の重要度等の情報は、画像部品の生成、消去、変形、配置等を制御する画像制御部２０３において取得することができる。
【００２８】
画像制御部２０３は、各画像部品に対し、以下のように透過度制御フラグを設定する。なお、透過度制御フラグは、画像部品の表示領域に対応する透過度制御パネル上の領域の透過度を示す情報である。透過度制御フラグで設定される透過度には、非透過（遮光、透過させない）、ある度合いで透過させる（例えば全透過、半透過）などの複数種類の透過度がある。
【００２９】
非透過フラグを付加する画像部品としては、ユーザにとって直接的な影響を有することが予想される情報を表示するための画像部品を例示できる。例えば、ユーザにとって緊急度、重要度の高い情報を含む画像部品である。このような画像部品に関しては、透過表示することによって視認性が低下し、ユーザが画像部品を認識できない、又は認識しにくい状況となった場合、ユーザに何らかの直接的な影響を与えてしまう可能性がある。
非透過フラグ以外の全透過フラグや半透過フラグを付加する画像部品としては、上記のような緊急情報や重要情報に対応する画像部品以外の画像部品を例示できる。
以上の通り、画像制御部２０３では、透過度制御フラグを付加した個々の画像部品に関する画像情報、表示位置情報を表示制御部２０４及び透過度決定部２０２に渡す。
【００３０】
Ｓ１０３では、透過度決定部２０２にて、画像制御部２０３から渡された、個々の画像部品に関する画像情報、表示位置情報、透過度制御フラグを元に、個々の画像部品に対する透過度を決定する。
これら透明表示パネル部１０１に表示される画像を構成する個々の画像部品は、一般的には透過度情報を有していない。次に画像を構成する個々の画像部品に対して、透過度情報を対応付ける処理について述べる。
透過度は、遮光から透過まで数段階設定することができ、その決定方法に関する一例を
以下に記す。
【００３１】
まず初めに、「透過度＝遮光（非透過）」とする画像部品の例を下記に記す。
・前述した「透過度制御を不要とするフラグ」が付加された画像部品
・秘匿性の高い表示情報を有する画像部品
透過もしくは半透過とした場合、透明表示パネル部１０１の背面から他人に読み取られる可能性があり、秘匿性が確保できない可能性が高くなることから、秘匿性の高い表示情報を有する画像部品については遮光設定することが望ましい。
・外部機器に読み取らせることを目的とした画像部品
カメラやスキャナー等の撮像装置や情報取得機器に向けて読み取らせるバーコード、ＱＲコード（登録商標）などの画像部品は、確実に読み取らせる必要があるため遮光することが望ましい。
【００３２】
次に、「透過度＝全透過」とする画像部品の例を下記に記す。
・ユーザに対し通知する情報、周知する情報を有しない画像部品
待ち受け画面や、スクリーンセーバーなどは、ユーザに向けた情報を含まない画像部品である。そのためユーザが見逃した場合であっても、ユーザが受ける影響は低いため全透過とすることが望ましい。
・他の画像部品との重なりが無い画像部品
透明表示パネル部１０１に表示する際、他の画像部品との重なりが発生しない画像部品は、重なりが無いが故にユーザが認識しやすいため、全透過としてもよい。
・ある閾値以上の表示領域を有する画像部品
【００３３】
画像部品が有する表示位置情報から、透明表示パネル部１０１の表示領域に対して画像部品の表示領域が占める割合を求めることができる。画像部品の表示領域の大きさ、或いは透明表示パネル部１０１の表示領域に対する割合が、ある閾値以上である場合、その画像部品は表示部１０の表示領域の大部分を用いて表示されているため、ユーザが認識しやすいため、全透過としてもよい。このような画像部品の例としては、静止画や動画を表示するウィンドウなどの画像部品がある。
【００３４】
最後に、「透過度＝半透過」とする画像部品の例を下記に記す。
・操作を促す画像部品
ユーザに操作を促すための画像部品（例えばYes/No選択表示など）を表示する際、他の画像部品よりも目立たせて表示する必要がある。そのため、その画像部品が表示される周囲の画像部品とは異なる透過度（周囲よりも低い透過度）に設定することで、ユーザは認識しやすくなる。
・他の画像部品との重なりがある画像部品
画像部品が他の画像部品と重なる（階層表示する）場合、例えば階層メニュー操作の際、階層ごとに透過度を設定することで、ユーザはどの階層の操作などを行っているのかを画像部品の透過度によって直観的に認識することができるため、半透過の設定が望ましい。
・優先度を有する画像部品
例えば、使用頻度などによる優先度を示すパラメータなどを画像部品に付加し、使用頻度が高い画像部品の透過度を低く設定し、使用頻度が低いほど透過度を高く設定することで、結果、使用頻度が高い画像部品をユーザが認識しやすくなる。
【００３５】
他にも、「透過度＝半透過」とする画像部品の透過度の設定基準としては、画像部品に表示される情報に対するユーザの予測可能性を勘案してもよい。例えば、特定の操作に対し毎回表示される定型文のような情報は、ユーザが画像を認識できなくてもその内容を予測できるため、透過させても良い。また、複数のアイコンの中からユーザが選択したアイコンに対応する画像部品の透過度を、非選択のアイコンに対応する画像部品の透過度と異
なる設定にしても良い。なお、透過度の設定値は、非透過、半透過、全透過の３段階に限らず、より多くの或いはより少ない種類の透過度が設定可能であっても良い。
【００３６】
以上の通り、透過度決定部２０２は、Ｓ１０３において、個々の画像部品に対し、その画像部品が想定する表示情報や表示内容、ユーザへの提示態様（通知、周知、警告）に応じて、様々に透過度を設定し、Ｓ１０４に移行する。
【００３７】
Ｓ１０４では、Ｓ１０３で透過度決定部２０２により設定された透過度を元に、透過度制御部２０１は、画像部品ごとに、透過度制御の必要な画像部品であるか否かを判断する。
透過度制御が非透過である画像部品について、表示制御部２０４は、当該画像部品を他の画像部品と合成し、透明表示パネル部１０１で表示する画像を生成し（Ｓ１０５）、生成した画像を透明表示パネル部１０１に出力する（Ｓ１０６）。この画像部品が表示される透明表示パネル部１０１の領域に対応する透過度制御パネル部１００の領域は、非透過（遮光）に制御される。
【００３８】
透過度制御が半透過又は全透過である画像部品について、透過度制御部２０１は、当該画像部品の表示位置情報を参照し、その表示位置（表示領域）の透過度が透過度決定部２０２で設定された透過度になるよう透過度制御パネル部１００を制御する（Ｓ１０７）。
【００３９】
また、透過度制御が半透過又は全透過である画像部品について、表示制御部２０４は、当該画像部品を他の画像部品と合成し、透明表示パネル部１０１で表示する画像を生成し（Ｓ１０５）、生成した画像を透明表示パネル部１０１に出力する（Ｓ１０６）。
この時、透過度制御パネル部１００と透明表示パネル部１０１との制御タイミングは一致していることが望ましい。
【００４０】
以上により、透明表示パネル部１０１で表示される個々の画像部品は、画像部品の内容に応じて設定される透過度で表示できる（Ｓ１０８）。
その結果、ユーザに対して確実にその表示内容を伝える必要がある領域の表示のみ、透過度を落として表示することができる。従って、透明ディスプレイにおいて、表示部の透明性をユーザが体験できる機会の低下を抑制しつつ、ユーザが確実な認識をすることが求められる情報についてユーザが認識しやすい表示を行うことができる。
【００４１】
（実施例２）
図５を用いて本発明の実施例２に係る表示機器の基本的な動作を説明する。
実施例２では、実施例１と同様の構成要素に関しては同じ符号を付し、詳細な説明を省略する。
表示部１１は、透過度制御パネル部１００、透明表示パネル部１０１、タッチパネル部１０２で構成される。前方（ユーザ側）から順にタッチパネル部１０２、透明表示パネル部１０１、透過度制御パネル部１００の位置関係で配置されている。
【００４２】
タッチパネル部１０２は、タッチセンサを備えた透明なタッチパネルである。本発明を実施可能なタッチパネルの方式には種々ある。例えばユーザがタッチしたことによる電圧値の変化からタッチ位置を特定する抵抗膜方式、タブレット等で採用されているタッチペンを用いた電磁誘導方式がある。また、近年採用される例が増えている、タッチした際の静電容量の変化からタッチ位置を特定する静電容量方式もある。
【００４３】
タッチ操作検知部２０５は、ユーザによるタッチ操作の有無を検知し、タッチ操作があることを検知すると、そのタッチ位置を特定すると共にタッチ操作位置情報を生成する。
本発明が適用可能なタッチパネルの方式は、ユーザが何らかの方法でタッチした位置を
特定できる方式であれば、特に限定されない。
【００４４】
図５、図６を用いて本発明の実施例２に係る表示機器の基本的な動作を説明する。
図６は、本発明の実施例２に係る表示機器の基本的な動作フローを示した図である。
表示部１１を搭載した表示機器に電源が投入され、表示機器が動作可能な状態となると、Ｓ２００にて本フローチャートの処理が開始される。
【００４５】
タッチ操作検知部２０５は、ユーザによるタッチ操作の有無を監視する（Ｓ２０１）。ユーザによるタッチ操作があることが検知されると、タッチ操作検知部２０５は、そのタッチ位置を特定し（Ｓ２０２）、タッチ操作位置情報を画像制御部２０３及び透過度決定部２０２に渡す。
【００４６】
実施例１では、画像制御部２０３は、ユーザ操作や表示機器の動作に伴い、表示画像を構成する個々の画像部品に関する情報（画像情報、表示位置情報）を更新すると共に、透過度制御フラグを付加した。実施例２では、画像制御部２０３は、前記動作に加えて、タッチ操作位置情報から、ユーザのタッチ位置に該当する画像部品を特定し、その画像部品の透過度制御フラグを設定する（Ｓ２０４）。実施例２では、タッチ操作された位置にある画像部品の透過度を、タッチ操作される前とは異なる透過度に変更する例を説明するが、タッチ操作に応じた透過度制御はこれに限らない。例えば、タッチ操作された位置にある画像部品を所定の透過度（例えば非透過、半透過、全透過）にするようにしても良い。また、タッチ操作の前より透過度を落としても良いし（非透過側にする）、透過度を上げても良い（透過側にする）。
【００４７】
透過度決定部２０２は、まず、実施例１の説明した透過度決定方法により個々の画像部品に対して透過度情報を割り付ける。この状態での表示例を図７（Ａ）に示す。
個々の画像部品の透過度は、図７（Ｄ）に示すように、透過度Ａ〜Ｄの４種類の透過度が設定されるものとする。図７（Ａ）の例では、日時情報を表示している画像部品５１を透過度Ａ、バッテリー残量を表示している画像部品５２を透過度Ｂ、複数表示されているアイコンを透過度Ｃに設定している。
【００４８】
図７（Ａ）では、複数のアイコン１〜６を同一の透過度Ｃとして表示し、日時情報表示５１、バッテリー残量表示５２、アイコン表示１〜６それぞれに異なる透過度が設定される例を示しているが、これは一例である。上記のように、これら個々の画像部品の透過度は、透過度決定部２０２により決定される。
【００４９】
図７（Ａ）の状態で、ユーザによりアイコン４に対してタッチ操作が行われたとする（図７（Ｂ）の状態）。この場合、画像制御部２０３は、タッチ操作検知部２０５から渡されたタッチ操作位置情報を元に、タッチ操作された画像部品を特定し、その画像部品に対して新たな透過度制御情報を割り付ける。ここで、タッチ操作された画像部品に新たに割りつけられる透過度は、図７（Ａ）の状態で割りつけられていた透過度（アイコン４の場合、透過度Ｃ）とは異なる透過度（透過度Ｄとする）となるようする（Ｓ２０５）。このようにしてタッチ操作された画像部品の透過度が変更された状態での表示例を図７（Ｃ）に示す。図７（Ｃ）では、日時情報を表示している画像部品５１を透過度Ａ、バッテリー残量を表示している画像部品５２を透過度Ｂ、非選択（タッチ操作されていない）アイコンを透過度Ｃ、ユーザに選択（タッチ操作）されたアイコンを透過度Ｄに設定している。
Ｓ２０６以降の処理は、実施例１のＳ１０４以降と同等であるため説明を省略する。
【００５０】
実施例２によれば、ユーザがタッチ操作した位置の画像部品の透過度を、タッチ操作に応答して変更するので、ユーザはタッチ操作に対するフィードバックを透過度の変化として得ることができる。そのため、ユーザは自分がタッチ操作している画像部品を容易に認
識することができ、タッチ操作の操作性が向上する。タッチ操作された画像部品の透過度を変更する場合に、タッチ操作される前の透過度より透過度を低くしても良いし、高くしても良い。また、タッチ操作が終了した場合には、元の透過度に戻すようにしても良い。例えば、ユーザが画像部品にタッチしてから画像部品から指或いはスタイラスペン等を離すまで、或いは、離してから一定時間経過後まで、透過度を変更した状態とし、その後、透過度を元に戻す。これにより、タッチパネルを有する透明ディスプレイにおいて、透明表示体験の機会を多くユーザに提供しつつ、タッチ操作の操作性の低下を抑制することができる。
【符号の説明】
【００５１】
１００：透過度制御パネル部、１０１：透明表示パネル部、２０１：透過度制御部、２０２：透過度決定部
【図１】
2015158639.tif 000003
【図２】
2015158639.tif 000004
【図３】
2015158639.tif 000005
【図４】
2015158639.tif 000006
【図５】
2015158639.tif 000007
【図６】
2015158639.tif 000008
【図７】
2015158639.tif 000009